(57)【特許請求の範囲】
【請求項１】
複数の中紙を綴じることにより第１の中紙部及び第２の中紙部を形成した  
冊子状媒体を搬送するための搬送路と、
該搬送路に臨ませて配設され、回転させられて冊子状媒体を搬送する搬送ローラと、
該搬送路に臨ませて配設され、回転させられて冊子状媒体のページをめくるターンページローラと、
前記搬送路に臨ませて、かつ、冊子状媒体との接触部を前記ターンページローラに対してずらして配設され、冊子状媒体のページの多重めくりが発生するのを防止する多重めくり防止部材と、
前記第１の中紙部が、前記ターンページローラ及び前記多重めくり防止部材に対向する位置に到達すると開放位置に置かれ、前記第２の中紙部が、前記ターンページローラ及び前記多重めくり防止部材に対向する位置に到達すると閉鎖位置に置かれる揺動ガイドとを設けたことを特徴とする冊子状媒体取扱装置。
【発明の詳細な説明】
【０００１】
【発明の属する技術分野】
本発明は、冊子状媒体取扱装置に関するものである。
【０００２】
【従来の技術】
従来、金融機関等においては、通帳等の冊子状媒体を取り扱うために冊子状媒体取扱装置が使用される。そして、該冊子状媒体取扱装置は媒体ページめくり部を有し、該媒体ページめくり部に配設されたターンページローラを回転させることによって、前記冊子状媒体のページがめくられるようになっている。
【０００３】
図２は従来の冊子状媒体取扱装置における媒体ページめくり部の側面図、図３は従来の冊子状媒体取扱装置における媒体ページめくり部の動作を示す第１の図、図４は従来の冊子状媒体取扱装置における媒体ページめくり部の動作を示す第２の図、図５は従来の冊子状媒体取扱装置における媒体ページめくり部の動作を示す第３の図、図６は従来の冊子状媒体取扱装置における媒体ページめくり部の動作を示す第４の図である。
【０００４】
図において、１１は複数の中紙４６を綴（と）じ部５１において綴じることによって形成された冊子状媒体、３１はトッププレート、３２、３３は該トッププレート３１と平行に配設されたガイド、３４は前記トッププレート３１とガイド３２、３３との間に形成され、冊子状媒体１１を矢印Ａ、Ｂ方向に搬送するための搬送路である。前記冊子状媒体１１は、見開きの状態に置かれ、既に記帳が行われた第１の中紙部５２、及びまだ記帳が行われていない第２の中紙部５３を上方に向けて搬送路３４に挿入される。
【０００５】
また、３５は前記ガイド３２に対して揺動自在に配設され、開放位置及び閉鎖位置を採る揺動ガイド、３６は前記搬送路３４に臨ませて配設され、ステッピングモータ３７を駆動することによって回転させられる搬送ローラ、４１は前記揺動ガイド３５を揺動させるためのソレノイド、４３は前記搬送路３４に臨ませて配設され、ステッピングモータ４４を駆動することによって回転させられ、前記冊子状媒体１１のぺージをめくるターンページローラである。なお、前記揺動ガイド３５の上方には、冊子状媒体１１のページをめくるに当たり、冊子状媒体１１の中紙４６を検出するためにセンサ４５が配設される。
【０００６】
前記構成の冊子状媒体取扱装置において、ステッピングモータ３７を駆動し、搬送ローラ３６を回転させると、冊子状媒体１１は矢印Ａ方向に搬送される。そして、図３に示すように、前記第１の中紙部５２のほぼ中央がターンページローラ４３と対向する位置に到達すると、ソレノイド４１が作動させられ、図４に示すように、揺動ガイド３５が図における反時計回りに回動させられて開放位置に置かれるとともに、ステッピングモータ４４が駆動されて、ターンページローラ４３が矢印Ｃ方向に回転させられる。その結果、前記第１の中紙部５２の最も上の中紙４６とターンページローラ４３との間に摩擦力が発生させられ、該摩擦力によって中紙４６が湾曲させられながら矢印Ｂ方向に送られる。このようにしてページがめくられると、図５に示すように、前記中紙４６が前記センサ４５の光路を遮り、センサ４５をオンにする。
【０００７】
続いて、前記冊子状媒体１１が更に搬送され、前記中紙４６が第２の中紙部５３側に移動すると、ステッピングモータ３７が逆方向に駆動され、搬送ローラ３６が逆方向に回転させられ、冊子状媒体１１は矢印Ｂ方向に搬送される。その後、ソレノイド４１が作動させられ、図６に示すように、揺動ガイド３５が図における時計回りに回動させられて閉鎖位置に置かれる。そして、ステッピングモータ３７が逆方向に駆動され、搬送ローラ３６が逆方向に回転させられ、冊子状媒体１１が排出される。
【０００８】
【発明が解決しようとする課題】
しかしながら、前記従来の冊子状媒体取扱装置においては、冊子状媒体１１の各中紙４６間の摩擦係数が大きいと、ターンページローラ４３を回転させたときに複数の中紙４６が湾曲させられながら矢印Ｂ方向に送られ、ぺージの多重めくりが発生してしまう。
【０００９】
本発明は、前記従来の冊子状媒体取扱装置の問題点を解決して、冊子状媒体のぺージの多重めくりが発生するのを防止することができる冊子状媒体取扱装置を提供することを目的とする。
【００１０】
【課題を解決するための手段】
そのために、本発明の冊子状媒体取扱装置においては、冊子状媒体を搬送するための搬送路と、該搬送路に臨ませて配設され、回転させられて冊子状媒体を搬送する搬送ローラと、前記搬送路に臨ませて配設され、回転させられて冊子状媒体のぺージをめくるターンページローラと、前記搬送路に臨ませて、かつ、冊子状媒体との接触部を前記ターンページローラに対してずらして配設され、冊子状媒体のページの多重めくりが発生するのを防止する多重めくり防止部材とを有する。
【００１１】
【発明の実施の形態】
以下、本発明の実施の形態について図面を参照しながら詳細に説明する。
図１は本発明の実施の形態における冊子状媒体取扱装置の媒体ページめくり部の側面図、図７は本発明の実施の形態における冊子状媒体取扱装置の媒体ページめくり部の斜視図である。
【００１２】
図において、１１は複数の中紙４６を綴じ部５１において綴じることによって形成された冊子状媒体、５４はトッププレート、５５、５６は該トッププレート５４と平行に配設されたガイド、５７は前記トッププレート５４とガイド５５、５６との間に形成され、冊子状媒体１１を矢印Ａ、Ｂ方向に搬送するための搬送路である。前記冊子状媒体１１は、見開きの状態に置かれ、既に記帳が行われた第１の中紙部５２、及びまだ記帳が行われていない第２の中紙部５３を上方に向けて搬送路５７に挿入される。また、該搬送路５７は「く」字状の形状を有し、水平に延びる水平部５７ａ及び傾斜して延びる傾斜部５７ｂから成る。
【００１３】
また、５８は前記ガイド５６に対して揺動自在に配設され、開放位置及び閉鎖位置を採る揺動ガイド、６１は前記搬送路５７に臨ませて配設され、ステッピングモータ６２を駆動することによって回転させられる搬送ローラ、６３は前記揺動ガイド５８を揺動させるためのソレノイド、６４は前記搬送路５７の傾斜部５７ｂに臨ませて配設され、ステッピングモータ６５を駆動することによって回転させられ、前記冊子状媒体１１のぺージをめくるターンページローラ、６６は前記搬送路５７の傾斜部５７ｂに臨ませて、かつ、前記ターンページローラ６４と隣接させて配設され、ステッピングモータ６７を駆動することによって回転させられ、冊子状媒体１１のぺージの多重めくりが発生するのを防止する多重めくり防止部材としての多重めくり防止ローラである。なお、ターンページローラ６４及び多重めくり防止ローラ６６を同時に回転させたときに、１枚目の中紙４６を確実に湾曲させることができるように、ターンページローラ６４の摩擦係数は多重めくり防止ローラ６６の摩擦係数より大きくされる。
【００１４】
前記ターンページローラ６４と多重めくり防止ローラ６６とはわずかに偏心させられ、ターンページローラ６４及び多重めくり防止ローラ６６の各中心ＣＮ１、ＣＮ２は前記搬送路５７が延びる方向に沿ってずらされ、前記中心ＣＮ２は、矢印Ａ方向における中心ＣＮ１より下流側に配設される。したがって、ターンページローラ６４と冊子状媒体１１との接触部、及び多重めくり防止ローラ６６と冊子状媒体１１との接触部もずらされる。なお、各中心ＣＮ１、ＣＮ２間の距離は、２〜１０〔ｍｍ〕程度に設定される。
【００１５】
また、前記ターンページローラ６４及び多重めくり防止ローラ６６の上方には、冊子状媒体１１のページをめくるに当たり、冊子状媒体１１の中紙４６を検出するためにセンサ７１が配設される。
なお、前記ターンページローラ６４及び多重めくり防止ローラ６６を矢印Ｄ方向に移動自在に配設し、図示しない付勢手段によって搬送路５７に向けてターンページローラ６４及び多重めくり防止ローラ６６を付勢することもできる。また、前記ターンページローラ６４及び多重めくり防止ローラ６６と対向させて図示しないバックアップローラを配設することもできる。
【００１６】
本実施の形態においては、多重めくり防止部材として多重めくり防止ローラ６６を使用しているが、冊子状媒体１１の２枚目の中紙４６との間で摩擦力を発生させるものであれば、固定された部材を使用することもできる。
次に、前記構成の冊子状媒体取扱装置の動作について説明する。
図８は本発明の実施の形態における冊子状媒体取扱装置の制御ブロック図、図９は本発明の実施の形態における媒体ページめくり部の動作を示す第１の図、図１０は本発明の実施の形態における媒体ページめくり部の動作を示す第２の図、図１１は本発明の実施の形態における媒体ページめくり部の動作を示す第３の図、図１２は本発明の実施の形態における媒体ページめくり部の動作を示す第４の図、図１３は本発明の実施の形態における媒体ページめくり部の動作を示す第５の図、図１４は本発明の実施の形態における媒体ページめくり部の動作を示す第６の図、図１５は本発明の実施の形態における冊子状媒体取扱装置の動作を示すフローチャートである。
【００１７】
図において、５８は揺動ガイド、６１は搬送ローラ、６２、６５、６７はステッピングモータ、６３はソレノイド、６４はターンページローラ、６６は多重めくり防止ローラ、７１はセンサ、７２は制御部である。
前記構成の冊子状媒体取扱装置において、冊子状媒体１１が図示しない挿入・排出口に挿入されると、前記制御部７２は、ステッピングモータ６２を駆動し、搬送ローラ６１を回転させて冊子状媒体１１を矢印Ａ方向に搬送する。そして、図９に示すように、冊子状媒体１１の第１の中紙部５２がターンページローラ６４及び多重めくり防止ローラ６６と対向する位置に到達すると、制御部７２は、ソレノイド６３を作動させ、図１０に示すように、揺動ガイド５８を図における時計回りに回動させて開放位置に置くとともに、ステッピングモータ６５を駆動してターンページローラ６４を矢印Ｅ方向に、ステッピングモータ６７を駆動して多重めくり防止ローラ６６を前記ターンページローラ６４と逆の矢印Ｆ方向にそれぞれ回転させる。
【００１８】
その結果、前記第１の中紙部５２の１枚目の中紙４６とターンページローラ６４との間に摩擦力が発生させられ、該摩擦力によって中紙４６が湾曲させられながら矢印Ｂ方向に送られる。また、１枚目の中紙４６が湾曲させられるときに、各中紙４６間に発生させられる摩擦力によって２枚目の中紙４６が同様に湾曲させられ、矢印Ｂ方向に送られようとするが、このとき、２枚目の中紙４６の先端部分と多重めくり防止ローラ６６との間に摩擦力が発生させられるので、２枚目の中紙４６は平坦（たん）にされ、矢印Ｂ方向に送られるのが阻止される。その結果、冊子状媒体１１のページの多重めくりが発生するのを防止することができる。
【００１９】
このようにしてページがめくられると、図１１に示すように、前記中紙４６が前記センサ７１の光路を遮り、センサ７１をオンにする。その結果、前記制御部７２は、ステッピングモータ６５、６７の駆動を停止させ、ターンページローラ６４及び多重めくり防止ローラ６６を停止させる。
続いて、図１２に示すように、制御部７２は、前記冊子状媒体１１を更に矢印Ａ方向に搬送し、第２の中紙部５３がターンページローラ６４及び多重めくり防止ローラ６６と対向する位置に到達すると、ソレノイド６３を作動させ、図１３に示すように、揺動ガイド５８を図における反時計回りに回動させて閉鎖位置に置く。そして、前記制御部７２は、ステッピングモータ６２を逆方向に駆動し、搬送ローラ６１を逆方向に回転させ、図１４に示すように、冊子状媒体１１を矢印Ｂ方向に搬送し、前記挿入・排出口から排出する。
【００２０】
次に、フローチャートについて説明する。
ステップＳ１  挿入された冊子状媒体１１を矢印Ａ方向に搬送する。
ステップＳ２  揺動ガイド５８を回動させて開放位置に置く。
ステップＳ３  ターンページローラ６４及び多重めくり防止ローラ６６を回転させる。
ステップＳ４  センサ７１がオンになるのを待機する。
ステップＳ５  ターンページローラ６４及び多重めくり防止ローラ６６を停止させる。
ステップＳ６  冊子状媒体１１を矢印Ａ方向に更に搬送する。
ステップＳ７  揺動ガイド５８を回動させて閉鎖位置に置く。
ステップＳ８  冊子状媒体１１を排出する。
【００２１】
なお、本発明は前記実施の形態に限定されるものではなく、本発明の趣旨に基づいて種々変形させることが可能であり、それらを本発明の範囲から排除するものではない。
【００２２】
【発明の効果】
以上詳細に説明したように、本発明によれば、冊子状媒体取扱装置においては、冊子状媒体を搬送するための搬送路と、該搬送路に臨ませて配設され、回転させられて冊子状媒体を搬送する搬送ローラと、前記搬送路に臨ませて配設され、回転させられて冊子状媒体のぺージをめくるターンページローラと、前記搬送路に臨ませて、かつ、冊子状媒体との接触部を前記ターンページローラに対してずらして配設され、冊子状媒体のページの多重めくりが発生するのを防止する多重めくり防止部材とを有する。
【００２３】
この場合、冊子状媒体が搬送ローラによって前記ターンページローラ及び多重めくり防止部材と対向する位置に到達すると、前記ターンページローラが回転させられ、冊子状媒体の１枚目の中紙が湾曲させられ、逆方向に送られてページがめくられる。
このとき、各中紙間に発生する摩擦力によって２枚目の中紙が湾曲させられて逆方向に送られようとするが、前記多重めくり防止部材は、２枚目の中紙が送られるのを阻止する。
【００２４】
したがって、ぺージの多重めくりが発生するのを防止することができる。
【図面の簡単な説明】
【図１】本発明の実施の形態における冊子状媒体取扱装置の媒体ページめくり部の側面図である。
【図２】従来の冊子状媒体取扱装置における媒体ページめくり部の側面図である。
【図３】従来の冊子状媒体取扱装置における媒体ページめくり部の動作を示す第１の図である。
【図４】従来の冊子状媒体取扱装置における媒体ページめくり部の動作を示す第２の図である。
【図５】従来の冊子状媒体取扱装置における媒体ページめくり部の動作を示す第３の図である。
【図６】従来の冊子状媒体取扱装置における媒体ページめくり部の動作を示す第４の図である。
【図７】本発明の実施の形態における冊子状媒体取扱装置の媒体ページめくり部の斜視図である。
【図８】本発明の実施の形態における冊子状媒体取扱装置の制御ブロック図である。
【図９】本発明の実施の形態における媒体ページめくり部の動作を示す第１の図である。
【図１０】本発明の実施の形態における媒体ページめくり部の動作を示す第２の図である。
【図１１】本発明の実施の形態における媒体ページめくり部の動作を示す第３の図である。
【図１２】本発明の実施の形態における媒体ページめくり部の動作を示す第４の図である。
【図１３】本発明の実施の形態における媒体ページめくり部の動作を示す第５の図である。
【図１４】本発明の実施の形態における媒体ページめくり部の動作を示す第６の図である。
【図１５】本発明の実施の形態における冊子状媒体取扱装置の動作を示すフローチャートである。
【符号の説明】
１１    冊子状媒体
５７    搬送路
６１    搬送ローラ
６４    ターンページローラ
６６    多重めくり防止ローラ
【図１】
0003756614.tif 000002
【図２】
0003756614.tif 000003
【図３】
0003756614.tif 000004
【図４】
0003756614.tif 000005
【図５】
0003756614.tif 000006
【図６】
0003756614.tif 000007
【図７】
0003756614.tif 000008
【図８】
0003756614.tif 000009
【図９】
0003756614.tif 000010
【図１０】
0003756614.tif 000011
【図１１】
0003756614.tif 000012
【図１２】
0003756614.tif 000013
【図１３】
0003756614.tif 000014
【図１４】
0003756614.tif 000015
【図１５】
0003756614.tif 000016